【手続補正書】
【提出日】令和3年7月14日(2021.7.14)
【手続補正１】
【補正対象書類名】特許請求の範囲
【補正対象項目名】全文
【補正方法】変更
【補正の内容】
【特許請求の範囲】
【請求項１】
ＵＥ（user equipment）が信号を送信する方法において、
ＳＲＳ（sounding reference signal）シンボルの中からＰＵＣＣＨ（physical uplink control channel）と重畳していない第１ＳＲＳシンボル内のＳＲＳを送信する段階と、
前記ＳＲＳと前記ＰＵＣＣＨとの間の優先順位に基づいて、前記ＳＲＳシンボルの中から前記ＰＵＣＣＨと重畳している第２ＳＲＳシンボル内の前記ＳＲＳを送信するかドロップするかを決定する段階と、を含み、
前記ＳＲＳと前記ＰＵＣＣＨとの間の前記優先順位は、前記ＳＲＳのタイプと前記ＰＵＣＣＨのコンテンツ、周期的ＳＲＳの一つである前記ＳＲＳの前記タイプ、半持続的ＳＲＳと非周期的ＳＲＳ、及び、ＨＡＲＱ−ＡＣＫ（hybrid automatic repeat request-acknowledgement）、ＳＲ（scheduling request）又はＣＳＩ（channel state information）の少なくとも一つを含む前記ＰＵＣＣＨの前記コンテンツに基づいて決定され、
前記非周期的ＳＲＳである前記ＳＲＳの前記タイプに基づいて、
前記ＨＡＲＱ−ＡＣＫ又は前記ＳＲのどちらか一方を含む第１ＰＵＣＣＨは、前記非周期的ＳＲＳより高く優先順位付けされ、
前記非周期的ＳＲＳは、前記ＨＡＲＱ−ＡＣＫ又は前記ＳＲを含まない第２ＰＵＣＣＨより高く優先順位付けられる、方法。
【請求項２】
前記ＳＲＳをドロップする一方、前記重畳したＳＲＳシンボルで前記第１ＰＵＣＣＨを送信する段階をさらに含む、請求項１に記載の方法。
【請求項３】
前記ＳＲＳシンボルは、複数の連続するシンボルを含む、請求項１に記載の方法。
【請求項４】
前記ＰＵＣＣＨは、周期的ＰＵＣＣＨである、請求項１に記載の方法。
【請求項５】
前記ＰＵＣＣＨは、非周期的ＰＵＣＣＨである、請求項１に記載の方法。
【請求項６】
前記ＣＳＩは、ＣＱＩ（channel quality indicator）、ＰＭＩ（precoding matrix index）及びＲＩ（rank indicator）の少なくとも一つを含む、請求項１に記載の方法。
【請求項７】
請求項１に記載の方法を行うためのプログラムコードが記録されたプロセッサ読み取り可能な媒体。
【請求項８】
無線通信のために信号を処理する機器であって、
命令を保存するように構成されるメモリと、
前記命令を実行することによって動作を行うように構成されるプロセッサと、を含み、
前記動作は、
ＳＲＳ（sounding reference signal）シンボルの中からＰＵＣＣＨ（physical uplink control channel）と重畳していない第１ＳＲＳシンボル内のＳＲＳを送信することと、
前記ＳＲＳと前記ＰＵＣＣＨとの間の優先順位に基づいて、前記ＳＲＳシンボルの中から前記ＰＵＣＣＨと重畳している第２ＳＲＳシンボル内の前記ＳＲＳを送信するかドロップするかを決定することと、を含み、
前記ＳＲＳと前記ＰＵＣＣＨとの間の前記優先順位は、前記ＳＲＳのタイプと前記ＰＵＣＣＨのコンテンツ、周期的ＳＲＳの一つである前記ＳＲＳの前記タイプ、半持続的ＳＲＳと非周期的ＳＲＳ、及び、ＨＡＲＱ−ＡＣＫ（hybrid automatic repeat request-acknowledgement）、ＳＲ（scheduling request）又はＣＳＩ（channel state information）の少なくとも一つを含む前記ＰＵＣＣＨの前記コンテンツに基づいて決定され、
前記非周期的ＳＲＳである前記ＳＲＳの前記タイプに基づいて、
前記ＨＡＲＱ−ＡＣＫ又は前記ＳＲのどちらか一方を含む第１ＰＵＣＣＨは、前記非周期的ＳＲＳより高く優先順位付けされ、
前記非周期的ＳＲＳは、前記ＨＡＲＱ−ＡＣＫ又は前記ＳＲを含まない第２ＰＵＣＣＨより高く優先順位付けられる、機器。
【請求項９】
前記機器は、３ＧＰＰ（3rd generation partnership project）ベースの無線通信システムで動作するように構成されるＵＥである、請求項８に記載の機器。
【請求項１０】
ＢＳ（base station）が信号を受信する方法において、
ＳＲＳ（sounding reference signal）シンボルの中からＰＵＣＣＨ（physical uplink control channel）と重畳していない第１ＳＲＳシンボル内のＳＲＳを受信する段階と、
前記ＳＲＳと前記ＰＵＣＣＨとの間の優先順位に基づいて、前記ＳＲＳシンボルの中から前記ＰＵＣＣＨと重畳している第２ＳＲＳシンボル内の前記ＳＲＳ又は前記ＰＵＣＣＨを受信するかどうかを決定する段階と、を含み、
前記ＳＲＳと前記ＰＵＣＣＨとの間の前記優先順位は、前記ＳＲＳのタイプと前記ＰＵＣＣＨのコンテンツ、周期的ＳＲＳの一つである前記ＳＲＳの前記タイプ、半持続的ＳＲＳと非周期的ＳＲＳ、及び、ＨＡＲＱ−ＡＣＫ（hybrid automatic repeat request-acknowledgement）、ＳＲ（scheduling request）又はＣＳＩ（channel state information）の少なくとも一つを含む前記ＰＵＣＣＨの前記コンテンツに基づいて決定され、
前記非周期的ＳＲＳである前記ＳＲＳの前記タイプに基づいて、
前記ＨＡＲＱ−ＡＣＫ又は前記ＳＲのどちらか一方を含む第１ＰＵＣＣＨは、前記非周期的ＳＲＳより高く優先順位付けされ、
前記非周期的ＳＲＳは、前記ＨＡＲＱ−ＡＣＫ又は前記ＳＲを含まない第２ＰＵＣＣＨより高く優先順位付けられる、方法。
【請求項１１】
ＢＳ（base station）であって、
命令を保存するように構成されるメモリと、
前記命令を実行することによって動作を行うように構成されるプロセッサと、を含み、
前記動作は、
ＳＲＳ（sounding reference signal）シンボルの中からＰＵＣＣＨ（physical uplink control channel）と重畳していない第１ＳＲＳシンボル内のＳＲＳを受信することと、
前記ＳＲＳと前記ＰＵＣＣＨとの間の優先順位に基づいて、前記ＳＲＳシンボルの中から前記ＰＵＣＣＨと重畳している第２ＳＲＳシンボル内の前記ＳＲＳ又は前記ＰＵＣＣＨを受信するかどうかを決定することと、を含み、
前記ＳＲＳと前記ＰＵＣＣＨとの間の前記優先順位は、前記ＳＲＳのタイプと前記ＰＵＣＣＨのコンテンツ、周期的ＳＲＳの一つである前記ＳＲＳの前記タイプ、半持続的ＳＲＳと非周期的ＳＲＳ、及び、ＨＡＲＱ−ＡＣＫ（hybrid automatic repeat request-acknowledgement）、ＳＲ（scheduling request）又はＣＳＩ（channel state information）の少なくとも一つを含む前記ＰＵＣＣＨの前記コンテンツに基づいて決定され、
前記非周期的ＳＲＳである前記ＳＲＳの前記タイプに基づいて、
前記ＨＡＲＱ−ＡＣＫ又は前記ＳＲのどちらか一方を含む第１ＰＵＣＣＨは、前記非周期的ＳＲＳより高く優先順位付けされ、
前記非周期的ＳＲＳは、前記ＨＡＲＱ−ＡＣＫ又は前記ＳＲを含まない第２ＰＵＣＣＨより高く優先順位付けられる、ＢＳ。